(57)【要約】【課題】技術者の熟練度に関わらず簡単にハイライトを施した際における仕上がりの印象を技術者と顧客との間で共有することが可能なヘアカラー疑似体験器具を提供する。【解決手段】頭髪に宛がうことで染髪後のイメージを疑似体験するためのヘアカラー疑似体験器具１に関し、ベース色で染色されてシート状を成すように一端側を相互固着されたベース擬毛２と、該ベース擬毛２よりも明るい色味で染色され且つ前記ベース擬毛２の毛束の幅より短い幅で一端側を相互固着されたハイライト擬毛３と、該ハイライト擬毛３の毛束を前記ベース擬毛２の毛束における表面の幅方向に断続的に複数条並べた状態で夫々の毛束の一端側を懸吊保持する保持具４とを備え、前記ベース擬毛２の毛束における裏面には前記ハイライト擬毛３の毛束が露出しないように構成する。【選択図】図３
0003234694.tif 000002
【実用新案登録請求の範囲】
【請求項１】
頭髪に宛がうことで染髪後のイメージを疑似体験するためのヘアカラー疑似体験器具であって、ベース色で染色されてシート状を成すように一端側を相互固着されたベース擬毛と、該ベース擬毛よりも明るい色味で染色され且つ前記ベース擬毛の毛束の幅より短い幅で一端側を相互固着されたハイライト擬毛と、該ハイライト擬毛の毛束を前記ベース擬毛の毛束における表面の幅方向に断続的に複数条並べた状態で夫々の毛束の一端側を懸吊保持する保持具とを備え、前記ベース擬毛の毛束における裏面には前記ハイライト擬毛の毛束が露出しないように構成されていることを特徴とするヘアカラー疑似体験器具。
【請求項２】
保持具が台紙の折り畳みにより上下方向に偏平な箱形に組み立てられ、該箱形の内側に一端側を貼着されたベース擬毛及びハイライト擬毛の毛束が前記箱形の底面のスリットを通し外側に張り出して懸吊垂下するように構成されていることを特徴とする請求項１に記載のヘアカラー疑似体験器具。
【請求項３】
台紙による箱形の保持具にループ部を有する金具が内包され、前記ループ部が前記箱形の上面の開口部を通し外側に張り出すように構成されていることを特徴とする請求項２に記載のヘアカラー疑似体験器具。
【請求項４】
台紙による箱形の保持具にベース擬毛及びハイライト擬毛の毛束の貼着部を避けた範囲の厚みを保つ芯材が内包されていることを特徴とする請求項２又は３に記載のヘアカラー疑似体験器具。
【請求項５】
台紙による箱形の保持具の外側にベース擬毛とハイライト擬毛の明度レベル及び色味の情報が表記されていることを特徴とする請求項２、３又は４に記載のヘアカラー疑似体験器具。
【請求項６】
台紙による箱形の保持具の内側にハイライト擬毛の配列間隔の目安となるマーキングが施されていることを特徴とする請求項２、３又は４、５に記載のヘアカラー疑似体験器具。
【考案の詳細な説明】
【技術分野】
【０００１】
本考案は、染髪後のイメージを疑似体験するためのヘアカラー疑似体験器具に関するものである。
【背景技術】
【０００２】
一般的に、美容室等で頭髪を顧客の好みに応じた髪色に染色するカラーリングが行われているが、近年においては、単に頭髪を一種類の色で染めるだけでなく、ベースとなる色（以下ではベース色と称する）で染めた頭髪にポイントで明るめの髪色の部分（以下ではハイライト部と称する）を線状に細かく入れて立体感を出すハイライトと呼ばれるヘアカラーテクニックが用いられるようになっている。
【０００３】
より具体的には、頭髪の一部の髪の毛を線状に細かくブリーチ（髪の毛の色素を抜くこと）する一方、残りの頭髪をベース色で染め且つ前記ブリーチした部分をベース色より明るい色味で染めるようにし、ベース色の頭髪とハイライト部との間にコントラストを付けて頭髪に立体感を出すようにしている。
【考案の概要】
【考案が解決しようとする課題】
【０００４】
しかしながら、このようなハイライトと呼ばれる手法では、ハイライト部の入れ方や量、ベース色の明るさ、ブリーチの有無等で印象がかなり変わるため、例えば、技術者が顧客にハイライトを提案するにあたっては、雑誌やスマートフォンのアプリ等を使って顧客にイメージを伝えるよう努力しているが、ハイライトを施した際における仕上がりの印象を技術者と顧客との間で共有することが難しく、特に熟練度の低い技術者の場合には、技術者側のイメージと顧客側のイメージとの間のギャップが埋め切れずに、染髪後に顧客の十分な納得が得られない虞があった。
【０００５】
本考案は上述の実情に鑑みてなしたもので、技術者の熟練度に関わらず簡単にハイライトを施した際における仕上がりの印象を技術者と顧客との間で共有することが可能なヘアカラー疑似体験器具を提供することを目的とする。
【課題を解決するための手段】
【０００６】
本考案は、頭髪に宛がうことで染髪後のイメージを疑似体験するためのヘアカラー疑似体験器具であって、ベース色で染色されてシート状を成すように一端側を相互固着されたベース擬毛と、該ベース擬毛よりも明るい色味で染色され且つ前記ベース擬毛の毛束の幅より短い幅で一端側を相互固着されたハイライト擬毛と、該ハイライト擬毛の毛束を前記ベース擬毛の毛束における表面の幅方向に断続的に複数条並べた状態で夫々の毛束の一端側を懸吊保持する保持具とを備え、前記ベース擬毛の毛束における裏面には前記ハイライト擬毛の毛束が露出しないように構成されていることを特徴とするものである。
【０００７】
而して、このように構成されたヘアカラー疑似体験器具を頭髪に宛がうと、ベース色での染髪のイメージに加え、そのベース色で染めた頭髪に明るめの髪色のハイライト部が線状に細かく織り交ざった状態のイメージを疑似体験することが可能となり、しかも、ヘアカラー疑似体験器具を裏返して頭髪に宛がうだけで、ハイライトを施さずに一種類の色で染めた場合のイメージも確認することが可能となる。
【０００８】
このため、ヘアカラー疑似体験器具の表面と裏面とを交互に繰り返し頭髪に宛がうことにより、ハイライトを施した場合と施さない場合とを繰り返し何度も確認し直すことが可能となり、技術者の熟練度に関わらず簡単にハイライトを施した際における仕上がりの印象を技術者と顧客との間で共有することが可能となる。
【０００９】
また、本考案をより具体的に実施するにあたっては、保持具が台紙の折り畳みにより上下方向に偏平な箱形に組み立てられ、該箱形の内側に一端側を貼着されたベース擬毛及びハイライト擬毛の毛束が前記箱形の底面のスリットを通し外側に張り出して懸吊垂下するように構成されていることが好ましい。
【００１０】
このようにすれば、保持具を安価で環境に優しい紙製としながらも、上下方向に偏平な箱形に組み立てることで強度が高まり、しかも、どの角度から見ても裏地が見えなくなって表地の化粧面だけで全体が装飾されることになり、更には、その偏平な箱形の底面のスリットを通しベース擬毛及びハイライト擬毛の毛束を張り出させて懸吊垂下させることで質感の良い外観が実現される。
【００１１】
更に、本考案においては、台紙による箱形の保持具にループ部を有する金具が内包され、前記ループ部が前記箱形の上面の開口部を通し外側に張り出すように構成されていることが好ましく、このようにすれば、金具により保持具の補強が図られる上、前記ループ部を介し突起物に掛止させて全体を吊り下げておくことが可能となる。
【００１２】
また、本考案においては、台紙による箱形の保持具にベース擬毛及びハイライト擬毛の毛束の貼着部を避けた範囲の厚みを保つ芯材が内包されていることが好ましく、このようにすれば、保持具の内部の空洞部が芯材により埋められて厚み方向の強度が高められ、前記保持具を摘まんだ際に凹みが生じることがなくなって使用感が良好となる。
【００１３】
更に、本考案においては、台紙による箱形の保持具の外側にベース擬毛とハイライト擬毛の明度レベル及び色味の情報が表記されていることが好ましく、このようにすれば、台紙に表記されたベース擬毛とハイライト擬毛の明度レベル及び色味の情報に基づき、顧客が気に入ったイメージを実現するためのカラー剤を選定し易くなる。
【００１４】
また、本考案においては、台紙による箱形の保持具の内側にハイライト擬毛の配列間隔の目安となるマーキングが施されていることが好ましく、このようにすれば、前記箱形の内側にベース擬毛及びハイライト擬毛の毛束の一端側を貼着するにあたり、マーキングを目安としてハイライト擬毛の毛束を並べて貼着することが可能となる。
【考案の効果】
【００１５】
上記した本考案のヘアカラー疑似体験器具によれば、下記の如き種々の優れた効果を奏し得る。
【００１６】
（Ｉ）本考案の請求項１に記載の考案によれば、技術者の熟練度に関わらず簡単にハイライトを施した際における仕上がりの印象を技術者と顧客との間で共有することができ、技術者側のイメージと顧客側のイメージとの間のギャップを埋めて染髪後における顧客満足度を高めることができる。
【００１７】
（ＩＩ）本考案の請求項２に記載の考案によれば、保持具を安価で環境に優しい紙製としながらも、上下方向に偏平な箱形に組み立てて高い強度を持たせ、どの角度から見ても裏地が見えないようにして表地の化粧面だけで全体を美観良く装飾することができ、偏平な箱形の底面のスリットを通しベース擬毛及びハイライト擬毛の毛束を張り出させて質感の良い外観を実現することができる。
【００１８】
（ＩＩＩ）本考案の請求項３に記載の考案によれば、金具により保持具の補強を図ることができる上、ループ部を介し突起物に掛止させて全体を吊り下げておくことができるので、ベース擬毛及びハイライト擬毛の毛束を傷めないように懸吊した状態で保管しておくことができる。
【００１９】
（ＩＶ）本考案の請求項４に記載の考案によれば、保持具の内部の空洞部を芯材により埋めて厚み方向の強度を高めることができ、前記保持具を摘まんだ際に凹みが生じることを防いで良好な使用感が得られるようにすることができる。
【００２０】
（Ｖ）本考案の請求項５に記載の考案によれば、台紙に表記されたベース擬毛とハイライト擬毛の明度レベル及び色味の情報を確認することにより、顧客が気に入ったイメージを実現するためのカラー剤を容易に選定することができる。
【００２１】
（ＶＩ）本考案の請求項６に記載の考案によれば、箱形の内側にベース擬毛及びハイライト擬毛の毛束の一端側を貼着するにあたり、マーキングを目安としてハイライト擬毛の毛束を並べて貼着することができ、ヘアカラー疑似体験器具の製作工程の容易化を図ることができる。
【図面の簡単な説明】
【００２２】
【図１】本考案を実施する形態の一例を示す正面図である。
【図２】図１の背面図である。
【図３】図１の斜視図である。
【図４】図１の保持具を展開した状態で示す平面図である。
【図５】図４の保持具へのベース擬毛の貼着について説明する平面図である。
【図６】図５の保持具へのハイライト擬毛の貼着について説明する平面図である。
【図７】図５の保持具への金具と芯材の貼着について説明する平面図である。
【図８】図７の金具を単品で示す正面図である。
【図９】図８の芯材を単品で示す正面図である。
【図１０】図１の保持具の表示について説明する正面図である。
【図１１】ハイライトを施した状態を疑似体験する様子を示す説明図である。
【図１２】ハイライトを施さない状態を疑似体験する様子を示す説明図である。
【考案を実施するための形態】
【００２３】
以下本考案の実施の形態を図示例と共に説明する。
【００２４】
図１〜図３は本考案の実施の形態の一例を示すもので、図中における符号１は頭髪に宛がうことで染髪後のイメージを疑似体験するためのヘアカラー疑似体験器具を示しており、ベース色で染色されてシート状を成すように一端側を相互に溶着されたベース擬毛２と、該ベース擬毛２よりも明るい色味で染色され且つ前記ベース擬毛２の毛束の幅より短い幅で一端側を相互に溶着されたハイライト擬毛３と、該ハイライト擬毛３の毛束を前記ベース擬毛２の毛束における表面の幅方向に断続的に複数条並べた状態で夫々の毛束の一端側を懸吊保持する保持具４とを備えた構成となっており、前記ベース擬毛２の毛束における裏面には前記ハイライト擬毛３の毛束が露出しないようにしてある。
【００２５】
ここで、前記保持具４は、図４に展開状態で示す如き台紙５を図中の一点鎖線に沿い内側に折り畳むことで上下方向に偏平な箱形に組み立てられるようになっており、より具体的には、中央の矩形状の基部５ａに対し片部５ｂ，５ｃ，５ｄ，５ｅを四方から内側に折り畳んで上下方向に偏平な箱形が形作られるようにしてある。尚、図中の一点鎖線はベース擬毛２及びハイライト擬毛３の毛束を間に挟み込むための厚みが確保されるよう所定幅の二本一組で設定されている。
【００２６】
また、図４中の下側の片部５ｅには横長のスリット６が開口されており、上下方向に偏平な箱形に組み立てた際に、該箱形の底面にスリット６が開口するようにしてあり、この箱形の組み立て段階にあっては、図５に示す如く、前記スリット６を通してベース擬毛２の毛束の一端側が両面テープ（説明の便宜上から図示せず）を介し前記基部５ａの内側に先行して貼着され、次いで、図６に示す如く、前記ベース擬毛２の毛束における表面の幅方向に、ハイライト擬毛３の毛束が断続的に複数条並べられて夫々の一端側が両面テープ（説明の便宜上から図示せず）を介し貼着されるようになっている。
【００２７】
この際、保持具４を成す台紙５の基部の内側には、ハイライト擬毛３の配列間隔の目安となるマーキング７が予め施されており、このマーキング７を目安としてハイライト擬毛３の毛束を並べて貼着することで該ハイライト擬毛３の適切な間隔での配列が容易に実現できるようになっている。
【００２８】
更に、図７に示す如く、ベース擬毛２とハイライト擬毛３の毛束の貼着が完了した後に、中央にループ部８を有する金具９（図８参照）と、ベース擬毛２及びハイライト擬毛３の毛束の貼着部を避けた範囲の厚みを保つための芯材１０（図９参照）とが両面テープ（説明の便宜上から図示せず）で互いに組み付けられた状態で前記台紙５の基部に貼着され、箱形の保持具４への組み立てにより該保持具４に内包されるようになっており、この組み立て時に、前記金具９のループ部８が前記箱形の上面の開口部１１を通し外側に張り出すようにしてある。
【００２９】
また、このようにして保持具４を組み立てると、この箱形の内側に一端側を貼着されたベース擬毛２及びハイライト擬毛３の毛束が前記箱形の底面のスリット６を通し外側に張り出して懸吊垂下されることになる。
【００３０】
尚、図１０に拡大して示す如く、前記台紙５による箱形の保持具４の外側には、ベース擬毛２とハイライト擬毛３の明度レベル及び色味の情報が表記されていることが好ましく、このようにしておけば、台紙５に表記されたベース擬毛２とハイライト擬毛３の明度レベル及び色味の情報に基づき、顧客が気に入ったイメージを実現するためのカラー剤を選定し易くなる。
【００３１】
而して、図１１に示す如く、このように構成されたヘアカラー疑似体験器具１を頭髪に宛がうと、ベース色での染髪のイメージに加え、そのベース色で染めた頭髪に明るめの髪色のハイライト部が線状に細かく織り交ざった状態のイメージを疑似体験することが可能となり、しかも、図１２に示す如く、ヘアカラー疑似体験器具１を裏返して頭髪に宛がうだけで、ハイライトを施さずに一種類の色で染めた場合のイメージも確認することが可能となる。
【００３２】
このため、ヘアカラー疑似体験器具１の表面と裏面とを交互に繰り返し頭髪に宛がうことにより、ハイライトを施した場合と施さない場合とを繰り返し何度も確認し直すことが可能となり、技術者の熟練度に関わらず簡単にハイライトを施した際における仕上がりの印象を技術者と顧客との間で共有することが可能となる。
【００３３】
また、保持具４が台紙５の折り畳みにより上下方向に偏平な箱形に組み立てられ、該箱形の内側に一端側を貼着されたベース擬毛２及びハイライト擬毛３の毛束が前記箱形の底面のスリット６を通し外側に張り出して懸吊垂下するように構成されているので、保持具４を安価で環境に優しい紙製としながらも、上下方向に偏平な箱形に組み立てることで強度が高まり、しかも、どの角度から見ても裏地が見えなくなって表地の化粧面だけで全体が装飾されることになり、更には、その偏平な箱形の底面のスリット６を通しベース擬毛２及びハイライト擬毛３の毛束を張り出させて懸吊垂下させることで質感の良い外観が実現される。
【００３４】
更に、本形態例においては、台紙５による箱形の保持具４にループ部８を有する金具９が内包され、前記ループ部８が前記箱形の上面の開口部１１を通し外側に張り出すように構成されているので、金具９により保持具４の補強が図られる上、前記ループ部８を介し突起物に掛止させて全体を吊り下げておくことが可能となる。
【００３５】
また、本形態例においては、台紙５による箱形の保持具４にベース擬毛２及びハイライト擬毛３の毛束の貼着部を避けた範囲の厚みを保つ芯材１０が内包されているので、保持具４の内部の空洞部が芯材１０により埋められて厚み方向の強度が高められ、前記保持具４を摘まんだ際に凹みが生じることがなくなって使用感が良好となる。
【００３６】
従って、上記形態例によれば、技術者の熟練度に関わらず簡単にハイライトを施した際における仕上がりの印象を技術者と顧客との間で共有することができ、技術者側のイメージと顧客側のイメージとの間のギャップを埋めて染髪後における顧客満足度を高めることができる。
【００３７】
また、保持具４を安価で環境に優しい紙製としながらも、上下方向に偏平な箱形に組み立てて高い強度を持たせ、どの角度から見ても裏地が見えないようにして表地の化粧面だけで全体を美観良く装飾することができ、偏平な箱形の底面のスリット６を通しベース擬毛２及びハイライト擬毛３の毛束を張り出させて質感の良い外観を実現することができる。
【００３８】
更に、金具９により保持具４の補強を図ることができる上、ループ部８を介し突起物に掛止させて全体を吊り下げておくことができるので、ベース擬毛２及びハイライト擬毛３の毛束を傷めないように懸吊した状態で保管しておくことができ、しかも、保持具４の内部の空洞部を芯材１０により埋めて厚み方向の強度を高めることができるので、前記保持具４を摘まんだ際に凹みが生じることを防いで良好な使用感が得られるようにすることができる。
【００３９】
また、特に本形態例においては、台紙５に表記されたベース擬毛２とハイライト擬毛３の明度レベル及び色味の情報を確認することにより、顧客が気に入ったイメージを実現するためのカラー剤を容易に選定することができ、しかも、箱形の内側にベース擬毛２及びハイライト擬毛３の毛束の一端側を貼着するにあたり、マーキング７を目安としてハイライト擬毛３の毛束を並べて貼着することができて、ヘアカラー疑似体験器具１の製作工程の容易化を図ることができる。
【００４０】
尚、本考案のヘアカラー疑似体験器具は、上述の形態例にのみ限定されるものではなく、保持具は必ずしも台紙を折り畳んで組み立てる形式に限定されないこと、その他、本考案の要旨を逸脱しない範囲内において種々変更を加え得ることは勿論である。
【符号の説明】
【００４１】
１     ヘアカラー疑似体験器具
２     ベース擬毛
３     ハイライト擬毛
４     保持具
５     台紙
５ａ   基部
５ｂ   片部
５ｃ   片部
５ｄ   片部
５ｅ   片部
６     スリット
７     マーキング
８     ループ部
９     金具
１０     芯材
１１     開口部
【図１】
0003234694.tif 000003
【図２】
0003234694.tif 000004
【図３】
0003234694.tif 000005
【図４】
0003234694.tif 000006
【図５】
0003234694.tif 000007
【図６】
0003234694.tif 000008
【図７】
0003234694.tif 000009
【図８】
0003234694.tif 000010
【図９】
0003234694.tif 000011
【図１０】
0003234694.tif 000012
【図１１】
0003234694.tif 000013
【図１２】
0003234694.tif 000014